(57)【要約】      （修正有）【課題】トロリ線の挙動に追従でき、仮支持ハンガが、架台から外れてしまうのを防止することができる剛体架線用のトロリ線仮支持ハンガを提供する。【解決手段】本考案の剛体架線用のトロリ線仮支持ハンガ５は、旧トロリ線２が固定される架台１に吊下げられる架台吊下具６と、該架台吊下具６に傾動自在に設けた、新トロリ線を支持するトロリ線支持具７とよりなることを特徴とする。【選択図】図１
0003212418.tif 000002
【実用新案登録請求の範囲】
【請求項１】
トロリ線が固定される架台に吊下げられる架台吊下具と、
該架台吊下具に傾動自在に設けた、トロリ線を支持するトロリ線支持具とよりなることを特徴とする剛体架線用のトロリ線仮支持ハンガ。
【請求項２】
上記トロリ線支持具は、上記架台吊下具に対して、上記架台の長手方向に対して直交する方向に傾動自在に設けられることを特徴とする請求項１に記載の剛体架線用のトロリ線仮支持ハンガ。
【請求項３】
上記架台吊下具と上記トロリ線支持具とは、分離可能に形成されていることを特徴とする請求項１または２に記載のトロリ線仮支持ハンガ。
【請求項４】
上記架台は、板状の上部フランジ部を有する架台よりなり、
上記架台吊下具は、上記上部フランジ部の一側から他側に渡って延びる吊下具本体と、該吊下具本体の先端に形成された、上記フランジ部の他側の縁部に嵌め込み可能に形成された上部フランジ部嵌め込み部と、上記吊下具本体の基部から下方に折り曲げられた折り曲げ部と、該折り曲げ部の下端に設けられた一方の係合部とよりなり、
上記トロリ線支持具は、鉛直方向に延びる支持具本体と、該支持具本体の上部に設けた、上記一方の係合部に、上記架台支持具に対して傾動自在に係合する他方の係合部と、上記支持具本体の下部に設けたトロリ線支持部とよりなることを特徴とする請求項１、２または３に記載の剛体架線用のトロリ線仮支持ハンガ。
【請求項５】
上記一方の係合部及び他方の係合部のいずれか一方は、棒状に形成された支持ピン部からなり、上記一方の係合部及び他方の係合部のいずれか他方は、上記支持ピン部に支持されるＵ字状に形成されたＵ字状部からなることを特徴とする請求項４に記載の剛体架線用のトロリ線仮支持ハンガ。
【請求項６】
上記トロリ線支持部に、上記架台の長手方向に直交し水平面内にある軸回りで回転自在に設けた円盤状の回転体を設け、該回転体の外周面で、上記トロリ線を載置して支持することを特徴とする請求項４または５に記載の剛体架線用のトロリ線仮支持ハンガ。
【請求項７】
上記トロリ線支持部に、支持したトロリ線の脱落防止手段を設けたことを特徴とする請求項４、５または６に記載の剛体架線用のトロリ線仮支持ハンガ。
【考案の詳細な説明】
【技術分野】
【０００１】
本考案は、剛体架線用のトロリ線仮支持ハンガ、特に、剛体架線のトロリ線の張り替えの際に使用するトロリ線仮支持ハンガに関するものである。
【背景技術】
【０００２】
例えば、図５に示すように、剛体架線構造のアルミ製の剛体Ｔ字架台１のウェブ１ａの下端に沿って固定されたトロリ線２（以下、「旧トロリ線２」という。）を、新しいトロリ線３（以下、「新トロリ線３」という）に張り替えるためには、まず、図６に示すように、上記Ｔ字架台１に、長手方向に複数のトロリ線仮支持ハンガ４を吊下げて、そして、該トロリ線仮支持ハンガ４の下端に新トロリ線３を支持させて、該新トロリ線３を上記Ｔ字架台１に沿って下方に配置するようにする。
【０００３】
そして、図７及び図８に示すように、上記Ｔ字架台１から旧トロリ線２を撤去した後に、上記Ｔ字架台１の下方に配置した新トロリ線３を、上記Ｔ字架台１のウェブ１ａの下端に固定して張り替えていた。
【０００４】
そして、上記新トロリ線３を支持する従来のトロリ線仮支持ハンガ４は、例えば、図９に示すように、鉛直方向に延びる棒状の本体部４ａと、該本体部４ａの上部に形成された、上記Ｔ字架台１の上部フランジ部１ｂを上から嵌め込み吊下げ可能となるコ字状に折り曲げられた架台吊下部４ｂと、上記本体部４ａの下部に形成された、上記新トロリ線３を載置して支持可能な、Ｕ字状に折り曲げられたトロリ線支持部４ｃとよりなり、該従来のトロリ線仮支持ハンガ４においては、既製品がなく、１本の棒体を折り曲げて自作し、使用していた。
【考案の概要】
【考案が解決しようとする課題】
【０００５】
しかしながら、上記従来の仮支持ハンガ４は、支持した新トロリ線３が振動し、また、外部から衝撃を受けて、該新トロリ線３の線方向に力が加わった場合や、該新トロリ線の線方向に対して直交する方向の力が加わった場合に、上記仮支持ハンガ４が上記Ｔ字架台１から外れたり、また、上記仮支持ハンガ４のトロリ線支持部４ｃから新トロリ線３が外れてしまう危険性があった。また、仮支持ハンガ４が変形してしまう場合があった。
【０００６】
本考案は、上記の問題点をなくすようにしたものである。
【課題を解決するための手段】
【０００７】
本考案の剛体架線用のトロリ線仮支持ハンガは、トロリ線が固定される架台に吊下げられる架台吊下具と、該架台吊下具に傾動自在に設けた、トロリ線を支持するトロリ線支持具とよりなることを特徴とする。
【０００８】
また、上記トロリ線支持具は、上記架台吊下具に対して、上記架台の長手方向に対して直交する方向に傾動自在に設けられることを特徴とする。
【０００９】
また、上記架台吊下具と上記トロリ線支持具とは、分離可能に形成されていることを特徴とする。
【００１０】
また、上記架台は、板状の上部フランジ部を有する架台よりなり、上記架台吊下具は、上記上部フランジ部の一側から他側に渡って延びる吊下具本体と、該吊下具本体の先端に形成された、上記フランジ部の他側の縁部に嵌め込み可能に形成された上部フランジ部嵌め込み部と、上記吊下具本体の基部から下方に折り曲げられた折り曲げ部と、該折り曲げ部の下端に設けられた一方の係合部とよりなり、上記トロリ線支持具は、鉛直方向に延びる支持具本体と、該支持具本体の上部に設けた、上記一方の係合部に、上記架台支持具に対して傾動自在に係合する他方の係合部と、上記支持具本体の下部に設けたトロリ線支持部とよりなることを特徴とする。
【００１１】
また、上記一方の係合部及び他方の係合部のいずれか一方は、棒状に形成された支持ピン部からなり、上記一方の係合部及び他方の係合部のいずれか他方は、上記支持ピン部に支持されるＵ字状に形成されたＵ字状部からなることを特徴とする。
【００１２】
また、上記トロリ線支持部に、上記架台の長手方向に直交し水平面内にある軸回りで回転自在に設けた円盤状の回転体を設け、該回転体の外周面で、上記トロリ線を載置して支持することを特徴とする。
【００１３】
また、上記トロリ線支持部に、支持したトロリ線の脱落防止手段を設けたことを特徴とする。
【考案の効果】
【００１４】
本考案によれば、トロリ線の挙動に追従でき、例えば、新トロリ線に上記架台の長手方向に対して直交する方向に力が加わっても、上記仮支持ハンガが、架台から外れてしまうのを防止することができるようになる。
【００１５】
また、新トロリ線に上記架台の長手方向に力が加わっても、上記仮支持ハンガが、架台から外れてしまうのを防止することができるようになる。
【図面の簡単な説明】
【００１６】
【図１】本考案の剛体架線用のトロリ線仮支持ハンガの説明用斜視図である。
【図２】本考案の剛体架線用のトロリ線仮支持ハンガの説明用側面図である。
【図３】本考案の剛体架線用のトロリ線仮支持ハンガの一部を省略した架台吊下具の説明用斜視図である。
【図４】本考案の剛体架線用のトロリ線仮支持ハンガの一部を省略したトロリ線支持具の説明用斜視図である。
【図５】トロリ線の張り替え作業の説明図である。
【図６】トロリ線の張り替え作業の説明図である。
【図７】トロリ線の張り替え作業の説明図である。
【図８】トロリ線の張り替え作業の説明図である。
【図９】従来の剛体架線用のトロリ線仮支持ハンガの説明用側面図である。
【考案を実施するための形態】
【００１７】
以下図面によって本考案の実施例を説明する。
【実施例１】
【００１８】
図１〜図４は、本考案の剛体架線用のトロリ線仮支持ハンガ５を示し、該仮支持ハンガ５は、例えば、長手方向に延びる剛体のＴ字架台１に吊下げられる架台吊下具６と、該架台吊下具６に傾動自在に設けられる、新トロリ線３を、所望の高さに位置するように支持するトロリ線支持具７とよりなる。
【００１９】
上記架台吊下具６は、例えば、図１〜図３に示すように、吊下具本体６ａと、該吊下具本体６ａの先端に形成された上部フランジ部嵌め込み部６ｂと、上記吊下具本体６ａの基部に形成された折り曲げ部６ｃと、該折り曲げ部６ｃの下端に設けられた、上記トロリ線支持具７に傾動自在に係合する一方の係合部６ｄとよりなる。
【００２０】
上記吊下具本体６ａは、例えば、剛体Ｔ字架台１の板状の上部フランジ部１ｂの一側から他側に渡って水平方向に延びる棒状に形成される。
【００２１】
また、上記上部フランジ部嵌め込み部６ｂは、例えば、上記吊下具本体６ａの先端が下方にコ字状に折り曲げられて形成されたコ字状部からなり、該コ字状部は、上記上部フランジ部１ｂの他側の縁部に嵌め込み可能に形成される。
【００２２】
また、上記折り曲げ部６ｃは、例えば、上記吊下具本体６ａの基部が９０度下方に折り曲げられて形成され、上記上部フランジ部１ｂの一側の外側に位置するように形成される。
【００２３】
そして、上記上部フランジ部嵌め込み部６ｂが上記フランジ部１ｂの他側の縁部に嵌め込まれ、上記吊下具本体６ａが上記上部フランジ部１ｂの上面に当接し、上記折り曲げ部６ｃが、上記上部フランジ部１ｂの一側の外側に位置して、上記架台吊下具６が、上記Ｔ字架台１に支えられるようになる。
【００２４】
また、上記一方の係合部６ｄは、例えば、開口部が下を向くコ字状金具８と、該コ字状金具８の両側壁８ａ、８ａの下部間に横架して連結された棒状に形成された支持ピン部９となりなり、該支持ピン部９の軸方向が上記Ｔ字架台１の長手方向と平行となるように、上記コ字状金具８が、上記折り曲げ部６ｃの下端に固定される。
【００２５】
そして、上記コ字状金具８と該支持ピン部９により囲まれた開口部１０に、後述する上記トロリ線支持具７の他方の係合部７ｂの逆Ｕ字状部が挿入され、上記支持ピン部９に支持されることにより、上記トロリ線支持具７が、上記架台吊下具６に対して、上記Ｔ字架台１の長手方向に直交する方向に傾動自在に、吊下げられるようになる。
【００２６】
なお、図２中の１９は、上記架台吊下具６の外周面に被覆したＰＴＦＥチューブなどの被覆材を示し、該被覆材１９により、滑り止め、材質保護効果があるが、省略してもよい。
【００２７】
また、上記トロリ線支持具７は、例えば、図１、図２、図４に示すように、支持具本体７ａと、該支持具本体７ａの上端に設けられた、上記架台吊下具６の一方の係合部６ｄに係合する他方の係合部７ｂと、上記支持具本体７ａの下部に形成されたトロリ線支持部７ｃとよりなる。
【００２８】
上記支持具本体７ａは、例えば、鉛直方向に延びる矩形板体よりなり、該矩形板体の背面側が上記架台１を向くように形成される。
【００２９】
上記他方の係合部７ｂは、例えば、上記支持具本体７ａの板状の上端が背面７ｄ側に逆Ｕ字状に折り曲げられて形成された逆Ｕ字状部１１からなり、該逆Ｕ字状部１１内に上記支持ピン部９が挿入されて、該逆Ｕ字状部１１の内側天井部１１ａが該支持ピン部９に支持されることにより、上記トロリ線支持具７が、上記架台吊下具６に、傾動自在に吊下げられるようになる。
【００３０】
なお、上記逆Ｕ字状部１１の外側壁１１ｂの下端は、上記支持ピン部９が上記逆Ｕ字状部１１内に挿入しやすいように、若干外方に傾斜し、上記外側壁１１ｂの下端とこれに対向する内側壁１１ｃとの間の開口部が広く形成される。
【００３１】
また、上記トロリ線支持部７ｃは、例えば、上記支持具本体７ａの下端が表面７ｅ側にＵ字状に折り曲げられて形成されたＵ字折り曲げ部１２と、該Ｕ字折り曲げ部１２の中間部の、互いに対向する内側壁１２ａと外側壁１２ｂとの間に横架した、上記Ｔ字架台１の長手方向に対して直交し水平面内にある軸回りで回転自在に設けた回転軸１３と、該回転軸１３に設けた円盤状の、例えば滑車などの回転体１４と、上記Ｕ字折り曲げ部１２内に挿入された新トロリ線３がＵ字折り曲げ部１２外に外れることを防止するための脱落防止手段１５とよりなる。
【００３２】
該脱落防止手段１５は、例えば、上記Ｕ字折り曲げ部１２の外側壁１２ｂの上端と、該外側壁１２ｂに対向する内側壁１２ａとの間の開口部１６を開閉自在に塞ぐ蓋１７とよりなり、該蓋１７は、例えば、基部１７ａを上記内側壁１２ａに形成された枢支部１８に上下方向に傾動自在に枢支され、上記蓋１７の先端部１７ｂは、上記Ｕ字折り曲げ部１２の外側壁１２ａに内側から当接するように形成されると共に、該蓋１７には、上記蓋１７を常時、上記Ｕ字折り曲げ部１２の外側壁１２ａの内側に接するよう付勢するバネ部（図示せず）が設けられる。これにより、該バネ部の付勢力により、上記蓋１７が閉じている場合には、上記Ｕ字折り曲げ部１２内に挿入された新トロリ線３は、外に外れないようになる。
【００３３】
なお、上記外側壁１２ａの上端は、新トロリ線３が挿入しやすくなるように、外方に若干傾斜して形成される。
【００３４】
また、上記円盤状の回転体１４の外周面には、周方向に形成された溝部１４ａが形成され、挿入された新トロリ線３を保持できるように形成される。
【００３５】
なお、上記回転軸１３を、回転自在に設けずに、上記Ｕ字折り曲げ部１２に対して固定し、回転体１４を、該固定した軸に対して回転自在に設けるようにしてもよい。
【００３６】
また、上記回転軸１３や、回転体１４に用いる軸受は、滑らかな回転とするために、樹脂構造とするのが好ましい。
【００３７】
また、上記トロリ線支持具７は、回転体１４や脱落防止手段１５等を省略して、上記新トロリ線３を支持するＵ字状の支持部のみで形成するようにしてもよい。
【００３８】
また、上記一方の係合部６ｄと上記他方の係合部７ｂとは、着脱自在として二分割できるようにしてもよく、或いは、着脱自在とせずに、分割できないようにしてもよい。
【００３９】
また、上記一方の係合部６ｄと上記他方の係合部７ｂは、架台１の長手方向に直交する方向に傾動自在に係合されればよく、例えば、上記一方の係合部６ｄを支持ピン部で形成する代わりに、上記逆Ｕ字状部１１のように逆Ｕ字状部に形成し、また、上記他方の係合部７ｂを逆Ｕ字状部１１で形成する代わりに、上記支持ピン部９のように支持ピン部で形成するようにして、上記トロリ線支持具７を上記架台吊下具６に対して傾動自在に設けるようにしてもよい。
【００４０】
本考案は上記のような構成であるから、まず、上記架台吊下具６の嵌め込み部６ｂを、上記上部フランジ部１ｂの他側の縁部に嵌め込み、上記架台吊下具６を、上記Ｔ字架台１に吊下げるようにする。
【００４１】
次に、上記架台吊下具６の一方の係合部６ｄの開口部１０に、上記トロリ線支持具７の逆Ｕ字状部１１を、外側（上記開口部１０の上記架台１に面する側と反対の側）から挿入して、上記支持ピン部９により吊下げて支持するようにする。これにより、上記トロリ線支持具７が、上記架台吊下具６に対して、Ｔ字架台１の長手方向に対して直交する方向に傾動自在に支持されるようになり、上記仮支持ハンガ５が、上記架台１に吊下げられるようになる。
【００４２】
そして、上記仮支持ハンガ５を、上記Ｔ字架台１の長手方向に沿って、所望の間隔で、順次吊下げていくようにする。
【００４３】
次に、各仮支持ハンガ５の蓋１７の上部から、新トロリ線３を挿入すれば、上記バネに抗して、上記蓋１７が下方に移動して、開口部が開口し、上記新トロリ線３が上記Ｕ字折り曲げ部１２内に挿入され、該新トロリ線３の挿入後は、バネの付勢力により、上記バネが上方に傾動して、開口部が閉じられ、上記新トロリ線３が上記Ｕ字状部１２内に閉じ込められて、脱落が防止されると共に、上記新トロリ線３が、上記回転体１４の溝部１４ａ上に載置されて、上記新トロリ線３は、上記Ｔ字架台１に沿って、所望の高さで支持されるようになる。
【００４４】
そして、上記Ｔ字架台１のウェブ１ａの下端に固定された旧トロリ線２を撤去した後に、上記Ｔ字架台１の下方に配置した新トロリ線３を、上記Ｔ字架台１のウェブ１ａの下端に沿って固定して張り替えるようにする。
【００４５】
以上より、上記仮支持ハンガ５により支持された新トロリ線３は、該新トロリ線３が振動などし、上記架台１の長手方向に直交する方向に力が加わっても、上記仮支持ハンガ５のトロリ線支持具７が、上記架台１の長手方向に直交する方向に傾動して、上記架台吊下具６に、力が加わりにくくなり、上記仮支持ハンガ５が、上記架台１から外れてしまう事を防止できるようになる。
【００４６】
また、上記新トロリ線３に、上記架台１の長手方向の力が加わっても、上記回転体１４が回転して、上記新トロリ線３が上記架台１の長手方向に移動するので、上記架台吊下具６に、力が加わりにくくなり、上記仮支持ハンガ５が、架台１から外れてしまう事を防止できるようになる。
【００４７】
また、上記脱落防止手段１５により、上記Ｕ字折り曲げ具１２内の新トロリ線３は、脱落が防止されるようになる。
【００４８】
また、本考案のトロリ線仮支持ハンガ５は、架台吊下具６とトロリ線支持具７の二分割とすることができるので、トンネル空頭部に空間が少ない狭隘箇所での作業性を高めることができ、作業安全性と施工効率性の向上を図ることができる。
【００４９】
なお、上記実施例においては、上記トロリ線支持具７の逆Ｕ字状部１１を、上記架台吊下具６の開口部に、外側から挿入したが、内側（上記開口部１０の上記架台１に面する側）から挿入してもよい。
【００５０】
このように、作業場所によって、上記回転体１４の配置位置を変更できるので、狭隘箇所での作業性を高めることができるようなる。
【００５１】
また、上記他方の係合部７ｂの逆Ｕ字状部１１は、上記支持具本体７ａの表面７ｅ側に逆Ｕ字状に折り曲げて形成するようにしてもよい。
【００５２】
また、上記トロリ線支持部７ｃのＵ字折り曲げ部１２は、上記支持具本体７ａの裏面７ｄ側に折り曲げて形成してもよい。
【００５３】
また、上記トロリ線支持ハンガ５は、新トロリ線３以外に、旧トロリ線２を支持するようにしてもよい。
【符号の説明】
【００５４】
１      Ｔ字架台
１ａ    ウェブ
１ｂ    フランジ部
２      旧トロリ線
３      新トロリ線
４      仮支持ハンガ
４ａ    本体部
４ｂ    架台吊下部
４ｃ    トロリ線支持部
５      仮支持ハンガ
６      架台吊下具
６ａ    吊下具本体
６ｂ    嵌め込み部
６ｃ    折り曲げ部
６ｄ    一方の係合部
７      トロリ線支持具
７ａ    支持具本体
７ｂ    他方の係合部
７ｃ    トロリ線支持部
７ｄ    背面
７ｅ    表面
８      コ字状金具
８ａ    側壁
９      支持ピン部
１０    開口部
１１    逆Ｕ字状部
１１ａ  内側天井部
１１ｂ  外側壁
１１ｃ  内側壁
１２    Ｕ字折り曲げ部
１２ａ  内側壁
１２ｂ  外側壁
１３    回転軸
１４    回転体
１４ａ  溝部
１５    脱落防止手段
１６    開口部
１７    蓋
１７ａ  基部
１７ｂ  先端部
１８    枢支部
１９    被覆材
【図１】
0003212418.tif 000003
【図２】
0003212418.tif 000004
【図３】
0003212418.tif 000005
【図４】
0003212418.tif 000006
【図５】
0003212418.tif 000007
【図６】
0003212418.tif 000008
【図７】
0003212418.tif 000009
【図８】
0003212418.tif 000010
【図９】
0003212418.tif 000011